(57)【特許請求の範囲】
【請求項１】
配線・配管材を壁面等に固定するための固定具であって、
固定部材の挿通孔を備えた台座と、該台座から一体に延設されて前記台座との間で、前記配線・配管材を保持する弾性変形可能な保持片とを備え、
前記保持片には、前記挿通孔に挿通された前記固定部材を操作する工具が挿入可能な長孔状の貫通孔が前記配線・配管材の挿入方向に沿って形成され、
前記台座と前記保持片の先端部との間の管挿入口から挿入された配線・配管材を、該台座と保持片との間で仮固定すると共に、当該仮固定の状態で保持片を弾性変形させて、該保持片の先端部の固定板部を台座に固定して、配線・配管材を本固定する構成であることを特徴とする配線・配管材の固定具。
【請求項２】
前記保持片の基端部の台座との一体連結部には、当該部分の変形を阻止すべくリブが設けられていることを特徴とする請求項１に記載の配線・配管材の固定具。
【請求項３】
前記保持片は、台座との間で配線・配管材を保持するためのわん曲保持部と、該わん曲保持部の先端に延設された固定板部とから成り、
前記固定板部は、わん曲保持部の非変形状態において、台座との間隔が先端に向けて広くなるように前記わん曲保持部に対して屈曲されていることを特徴とする請求項１又は２に記載の配線・配管材の固定具。
【請求項４】
前記台座と前記保持片との間に形成されて、配線・配管材を挿入するための管挿入口は、該配線・配管材の外径よりも狭幅であることを特徴とする請求項１ないし３のいずれかに記載の配線・配管材の固定具。
【請求項５】
前記台座の壁面当接面には、該壁面に喰い込んで、ずれを防止する突起体が突設されていることを特徴とする請求項１ないし４のいずれかに記載の配線・配管材の固定具。
【発明の詳細な説明】
【０００１】
【発明の属する技術分野】
本発明は、壁面に沿って配置された配線・配管材を、該壁面に対して固定するための配線・配管材の固定具に関するものである。
【０００２】
【従来の技術】
従来の配線・配管材の固定具の一つとして、実開平4-78382 号公報に開示されているものがある。この固定具Ｆ’は、図６に示されるように、帯板を環状に形成した弾性体製のクランプ体４１と、該クランプ体４１の両端部に一体に取付けられた金属製の連結固定板部４２とから成る。この固定具Ｆ’を使用して、配線・配管材Ｐを壁面Ｗに固定するには、そのクランプ体４１に配線・配管材Ｐを挿入した状態で、これを一方の手で保持して、他方の手で、前記連結固定板部４２に形成された挿通孔（図示せず）に挿通した固定ねじ４３を壁面Ｗに螺入していた。
【０００３】
このように、一方の手で、固定具Ｆ’と配線・配管材Ｐとの両方を保持しながら、他方の手で、壁面Ｗに対する固定ねじ４３の螺入作業を行わざるを得ないので、作業姿勢が不安定であり、しかもその能率も悪かった。
【０００４】
一方、別の固定具Ｆ”として、図７及び図８に示されるものが知られている。この固定具Ｆ”は、壁面Ｗに固定される台座５１と、配線・配管材Ｐを挿通するサドル５２とが別体で構成され、前記サドル５２の一端の係合部５３が、台座５１の被係合孔５４に係合可能になっている。
【０００５】
この固定具Ｆ”は、台座５１を壁面Ｗに先に固定しておき、その後に配線・配管材Ｐを固定できる。しかし、台座５１とサドル５２とが別体であるために、図８で実線で示されるようになると、配線・配管材Ｐの仮固定時において、サドル５２が外れてしまう不具合があった。また、図８に示されるように、配線・配管材Ｐの固定時に、これを挿入保持したサドル５２を、係合部を中心にして回動させると、配線・配管材Ｐの管軸が大きく移動させられるために、配線・配管材Ｐが捩じられる等した不安定な状態で固定されてしまう恐れもあった。なお、図７及び図８において、５５は、台座５１を壁面Ｗに固定している固定ねじを示す。
【０００６】
【発明が解決しようとする課題】
本発明の課題は、壁面等に先付けできて、配線・配管材を確実に仮固定でき、しかもこの仮固定時において、配線・配管材を保持している部分が外れることのない固定具の提供である。
【０００７】
【課題を解決するための手段】
上記の課題を解決するための請求項１の発明は、配線・配管材を壁面等に固定するための固定具であって、固定部材の挿通孔を備えた台座と、該台座から一体に延設されて前記台座との間で、前記配線・配管材を保持する弾性変形可能な保持片とを備え、前記保持片には、前記挿通孔に挿通された前記固定部材を操作する工具が挿入可能な長孔状の貫通孔が前記配線・配管材の挿入方向に沿って形成され、前記台座と前記保持片の先端部との間の管挿入口から挿入された配線・配管材を、該台座と保持片との間で仮固定すると共に、当該仮固定の状態で保持片を弾性変形させて、該保持片の先端部の固定板部を台座に固定して、配線・配管材を本固定する構成であることを特徴としている。
【０００８】
請求項１の発明によれば、壁面等に対して固定具を先に取付けることができ、予め固形された固定具の保持片によって配線・配管材を保持させることにより、これを仮固定できる。保持片は台座と一体に形成されているために、作業中、特に仮固定の段階でも配線・配管材が外れる恐れはないので、配線・配管材の固定作業を迅速に、しかも正確に行える。そして、前記仮固定の状態で保持片を弾性変形させて、前記保持片の先端部の固定板部を台座に固定すると、壁面等と配線・配管材との間に前記台座の厚みに相当する隙間が設けられて、配線・配管材は壁面等に直接に接触することなく、該壁面等に本固定される。
【０００９】
請求項２の発明は、請求項１の発明を前提として、前記保持片の基端部の台座との一体連結部には、当該部分の変形を阻止すべくリブが設けられていることを特徴としている。このため、保持片の弾性変形時においてその基端部が弾性変形しない構造となって、配線・配管材の仮固定の状態が安定化する。
【００１０】
請求項３の発明は、請求項１又は２の発明を前提として、前記保持片は、台座との間で配線・配管材を保持するためのわん曲保持部と、該わん曲保持部の先端に延設された固定板部とから成り、前記固定板部は、わん曲保持部の非変形状態において、台座との間隔が先端に向けて広くなるように前記わん曲保持部に対して屈曲されていることを特徴としている。このため、保持片と台座との間隔は、保持片のわん曲保持部と固定板部との接続部が最も狭くなっているため、わん曲保持部に挿入されて仮固定された配線・配管材が仮固定状態でも抜け出なくなると共に、配線・配管材の挿入も容易となる。
【００１１】
請求項４の発明は、請求項１ないし３のいずれかの発明を前提として、前記台座と前記保持片との間に形成されて、配線・配管材を挿入するための管挿入口は、該配線・配管材の外径よりも狭幅であることを特徴としている。配線・配管材の挿入時には、前記保持片が弾性変形されて、その管挿入口が拡開され、その挿入後には、前記保持片は、前記管挿入口が配線・配管材の外径よりも狭幅となるように、原形状に復元するために、配線・配管材が抜け出ない。
【００１２】
請求項５の発明は、請求項１ないし４のいずれかの発明を前提として、前記台座の壁面当接面には、該壁面に喰い込んで、ずれを防止する突起体が突設されていることを特徴としている。このため、壁面などに固定具が固定された状態において、ずれなくなる。
【００１３】
【発明の実施の形態】
以下、実施例を挙げて、本発明について、更に詳細に説明する。図１は、本発明に係る電線管Ｐの固定具Ｆの斜視図であり、図２は、固定ねじＳ1 を使用して前記固定具Ｆを壁面に固定している途中を示す斜視図であり、図３は、前記固定具Ｆによって電線管Ｐが壁面Ｗに水平に固定された状態の斜視図であり、図４は、壁面Ｗに固定された固定具Ｆに電線管Ｐが仮固定された状態の断面図であり、図５は、同じく固定状態の断面図である。
【００１４】
図１及び図４において、電線管Ｐの固定具Ｆは、金属板を折り曲げて成形されたものであって、壁面Ｗに固定ねじＳ1 を介して固定される方形箱状をした台座１０と、該台座１０の下端部に一体となって延設されたわん曲板状の保持片２０とで構成される。台座１０は、壁面Ｗに当接する側の背面と、下面との２面が開口した箱状を呈している。即ち、台座本体板部１１の両側部と上端部とは、それぞれ側板部１２及び上板部１３が背面側に向けて略直角に折り曲げられていて、前記台座本体板部１１の配管方向Ｑに沿った中央部であって、しかも該配管方向Ｑと直交する方向（台座１０を基準にすると、その長手方向）Ｒの中央から僅かに偏倚した部分には、前記固定ねじＳ1 の頭部１を収容させるための楕円状の凹部１４が形成されている。該凹部１４の底板部１５は、固定ねじＳ1 の頭部１が密着し易いように平面状に形成されて、該底板部１５に固定ねじＳ1 の挿通孔１６が形成されている。
【００１５】
また、台座本体板部１１の配管方向Ｑに沿った中央部であって、前記上板部１３に近接した部分には、前記台座１０に前記保持片２０を固定するための固定ねじＳ2 の下孔１７が形成されている。図４に示されるように、台座本体板部１１における前記下孔１７が形成される部分は、他の部分よりも厚肉になっている。また、台座１０を構成する各側板部１２の壁面当接面１２ａの両端部には、それぞれ壁面Ｗに対して喰い込み可能な突起体１８が一体に形成されている。なお、台座１０を構成する上板部１３は、電線管Ｐを水平配管する場合には、台座１０の上面開口を閉塞して、美観を保持する機能を果たす。
【００１６】
また、保持片２０は、前記台座１０を構成する台座本体板部１１の下端部を直角に手前側に折り曲げて一体に形成されており、電線管Ｐを保持固定した状態で断面Ｕ字状となる弾性変形可能なわん曲保持部２１と、該わん曲保持部２１の先端部に一体に形成されて、前記保持片２０の全体を前記台座１０に固定するための平板状の固定板部２２とから成る。この固定板部２２は、前記わん曲保持部２１の先端部を外側に略直角にわん曲させて形成されている。また、前記わん曲保持部２１における前記台座１０の台座本体板部１１との一体連結部には、その内側に一対のリブ２３が設けられていて、保持片２０の弾性変形時において、台座１０との一体連結部は、弾性変形しない構造になっている。このため、前記保持片２０と前記台座１０との間で電線管Ｐを仮固定した状態において、該電線管Ｐの自重によって、前記保持片２０が外方に開かなくなって、仮固定された電線管Ｐが外れ落ちなくなる。この結果、電線管Ｐの仮固定の状態が安定する。また、前記一対のリブ２３に替えて、保持片２０における台座１０との一体連結部の肉厚を部分的に厚くすることによっても、前記保持片２０が外方に開かなくなって、電線管Ｐの仮固定状態が安定するという上記作用効果が奏される。
【００１７】
また、保持片２０を構成するわん曲保持部２１の幅方向の中央部には、前記台座１０を壁面Ｗに固定する固定ねじＳ1 を回転させるためのドライバー２（図２参照）の貫通孔２４が、そのわん曲方向に沿って設けられている。保持片２０のわん曲保持部２１に設けられた前記貫通孔２４は、該わん曲保持部２１を弾性変形し易くする機能も有している。保持片２０の全体形状は、上記のようであって、図４及び図５に示されるように、保持片２０のわん曲保持部２１と固定板部２２との接続部２５と、台座１０との間の隙間が、電線管Ｐの管挿入口２６となっており、該保持片２０の非変形時には、保持片２０のわん曲保持部２１と固定板部２２との接続部２５と、台座１０との間の幅寸法Ｌが最も狭くなっていて、該幅寸法Ｌは、電線管Ｐの外径Ｄよりも遙に小さくなっている。このため、保持片２０のわん曲保持部２１に挿入されて仮固定された電線管Ｐは、仮固定状態において抜け出ることはない。なお、図１、図２及び図４において、２７は、保持片２０の固定板部２２に設けられた固定ねじＳ2 の挿通孔を示す。なお、固定ねじＳ1,Ｓ2 は、いずれもタッピンねじで構成される。
【００１８】
そして、上記固定具Ｆを使用して、壁面Ｗに電線管Ｐを水平に配置して固定するには、以下のようにして行う。先ず、図２に示されるように、壁面Ｗにおける電線管Ｐの固定位置に所定間隔をおいて複数個の固定具Ｆを固定する。即ち、壁面Ｗの前記位置に固定具Ｆを配置して、壁面Ｗに対して押し付けると、台座１０の両側板部１２の壁面当接面１２ａの両端部に突設された突起体１８が壁面Ｗに突刺されることにより、壁面Ｗの固定位置に固定具Ｆがずれることなく仮固定される。この状態で、保持片２０に設けられた貫通孔２４を通して固定ねじＳ1 を、台座１０の台座本体板部１１に設けられた挿通孔１６に挿通し、前記貫通孔２４に挿通したドライバー２により前記固定ねじＳ1 を回転させて、壁面Ｗに螺入させて、その頭部１が前記凹部１４の底板部１５に当接すると、図４に示されるように、壁面Ｗに対して固定具Ｆが固定される。
【００１９】
次に、固定具Ｆの管挿入口２６から電線管Ｐを挿入すると、該管挿入口２６の幅寸法Ｌが前記電線管Ｐの外径Ｄよりも小さくなっているために、固定具Ｆの保持片２０は、図４で２点鎖線で示されるように弾性変形されて、前記管挿入口２６が拡開されて、台座１０と保持片２０のわん曲保持部２１との間の管収容空間３０に電線管Ｐが、落とし込まれた状態となって収容されて、仮固定される。電線管Ｐの収容後には、前記保持片２０は、原形状に復元して、前記管挿入口２６の幅寸法Ｌは、電線管Ｐの外径Ｄよりも狭くなるために、固定具Ｆに一旦仮固定された電線管Ｐは、その管挿入口２６から抜け出ることはない。
【００２０】
また、壁面Ｗに対して固定具Ｆを固定している前記固定ねじＳ1 は、台座１０における配管方向Ｑの中央部に配置されているために、固定具Ｆに作用する電線管Ｐの自重は、該固定具Ｆに対して回動力として作用せず、しかも台座１０に設けられた各突起体１８が壁面Ｗに突刺されているために、固定具Ｆが廻されることはない。従って、電線管Ｐを仮固定した状態における固定具Ｆの固定状態が安定化する。
【００２１】
最後に、保持片２０を台座１０の側に変形させて、その固定板部２２を台座１０に密着させ、該固定板部２２の挿通孔２７に挿通された固定ねじＳ2 を、台座１０に設けられた下孔１７に螺入させると、図３及び図５に示されるように、保持片２０の自由端部である固定板部２２が台座１０に固定されて、壁面Ｗと電線管Ｐとの間に、前記台座１０の厚みに相当する隙間が設けられて、該電線管Ｐは、壁面Ｗに直接に接触することなく、該壁面Ｗに固定される。
【００２２】
なお、電線管Ｐは、上記仮固定の状態においても、固定具Ｆの管挿入口２６から抜け出ないので、このままの状態で放置することも可能である。
【００２３】
また、本発明に係る固定具は、電線管（配線・配管材）Ｐの仮固定、及び本固定の両状態において、該配線・配管材の管軸の移動がないので、仮固定から本固定に移行する際に、配線・配管材が捩じられたりしない。このため、配線・配管材の配管状態も安定する利点もある。
【００２４】
また、上記実施形態では、固定具Ｆの管挿入口２６の幅寸法Ｌは、その管収容空間３０に収容されて仮固定される電線管Ｐの外径よりも小さくなっていて、管挿入時には、前記管挿入口２６が拡開するように、保持片２０が外方に弾性変形する構成である。しかし、本発明においては、台座と保持片との間の幅寸法に関しては、該保持片の全域にわたって略同一寸法になっていて、配線・配管材を水平配置する場合には、保持片の自由端側（上端側）の管挿入口から落とし込んで、一旦落とし込まれた配線・配管材は、抜け出ることのない構成にすることも可能である。
【００２５】
なお、上記実施形態では、固定具Ｆを使用して、壁面Ｗに配線・配管材を水平配管する場合について説明したが、本発明に係る固定具は、配線・配管材を壁面Ｗに垂直配管したり、或いは床面に配管する場合においても、使用可能である。
【００２６】
【発明の効果】
本発明に係る配線・配管材の固定具は、壁面等に先付けされた固定具の保持片により配線・配管材を保持させることにより、配線・配管材を保持している部分が外れることなく、配線・配管材を確実に仮固定できると共に、前記仮固定の状態で保持片を弾性変形させて、前記保持片の先端部の固定板部を台座に固定すると、壁面等と配線・配管材との間に前記台座の厚みに相当する隙間が設けられて、配線・配管材は壁面等に直接に接触することなく、該壁面等に本固定されるので、作業中、特に仮固定の段階でも配線・配管材が外れる恐れはないので、配線・配管材の固定作業を迅速に、しかも正確に行える。
【図面の簡単な説明】
【図１】  本発明に係る電線管Ｐの固定具Ｆの斜視図である。
【図２】  固定ねじＳ1 を使用して固定具Ｆを壁面に固定している途中を示す斜視図である。
【図３】  固定具Ｆによって電線管Ｐが壁面Ｗに水平に固定された状態の斜視図である。
【図４】  壁面Ｗに固定された固定具Ｆに電線管Ｐが仮固定された状態の断面図である。
【図５】  同じく固定状態の断面図である。
【図６】  従来の固定具Ｆ’の使用状態の斜視図である。
【図７】  従来の固定具Ｆ”を構成する台座５１とサドル５２との分解斜視図である。
【図８】  同じく配線・配管材Ｐを仮固定した状態の断面図である。
【符号の説明】
Ｆ：固定具
Ｄ：電線管の外径
Ｌ：管挿入口の幅寸法
Ｐ：電線管（配線・配管材）
Ｑ：電線管の配管方向
Ｓ1 ：固定ねじ（固定部材）
Ｗ：壁面
２：ドライバー（工具）
１０：台座
１６：固定ねじの挿通孔
１８：突起体
２０：保持片
２１：わん曲保持部
２２：固定板部
２３：リブ
２４：貫通孔
２６：管挿入口
【図１】
0003639224.tif 000002
【図２】
0003639224.tif 000003
【図３】
0003639224.tif 000004
【図４】
0003639224.tif 000005
【図５】
0003639224.tif 000006
【図６】
0003639224.tif 000007
【図７】
0003639224.tif 000008
【図８】
0003639224.tif 000009